(57)【要約】【課題】製造及び組み付けが容易な少数の部品からなる構成をもち、しかもロック機能がいかなるピンのサイズにも対応できる金具を提供する。【解決手段】ピンが挿入される筒体と、この筒体の外周に巻回されたコイルバネと、筒体及びコイルバネの外周を包囲する外筒体からなり、筒体には斜めにカーブ又は、多角にした溝状又は窓状の切り込みを設けて、これにコイルバネの直線状の留め部を嵌合させることにより、この留め部と筒体の対向壁部との間にピン留め用の狭窄部を形成したことにより、太さの違うピンでも、ロックされる力が均一になり、細いピンは抜け落ちることもなく、太いピンはロックの解除が楽になって、安全な、快適なピン留め金具となった。【選択図】図２
2015173973.tif 000002
【特許請求の範囲】
【請求項１】
ピンが挿入される筒体と、この筒体の外周に設けたコイルバネによって構成され、
前記筒体におけるピン挿入側端部である前端部付近には斜めにカーブした溝状又は窓状の切り込みを設け、前記コイルバネの後端側の端部を前記筒体の後端側の部分に止着すると共に、コイルバネの前端部にはコイルバネの軸方向に伸びるアームを形成しこのアームの先端にコイルバネの円周線に対して径方向に交差するように延設された留め部を形成し、この留め部を前記筒体の切り込みに嵌入させることにより留め部と筒体の対向壁部との間にピン留め用の狭窄部を形成したピン留め具であって・
かつ下記（１）又は（２）の構成を備えることを特徴とするピン留め具。
（１）前記筒体の切り込みを筒体の後端側から前端部へ向かって斜め方向に切り込んで設      けると共に、前記コイルバネを軸方向に圧縮された状態で設けている。
（２）前記コイルバネを筒体の外周に密着又はほぼ密着した状態で設けている。
【請求項２】
ピンが挿入される筒体と、この筒体の外周に設けたコイルバネによって構成され、
前記筒体におけるピン挿入側端部である前端部付近には斜めに多角した溝状又は窓状の切り込みを設け、前記コイルバネの後端側の端部を前記筒体の後端側の部分に止着すると共に、コイルバネの前端部にはコイルバネの軸方向に伸びるアームを形成しこのアームの先端にコイルバネの円周線に対して径方向に交差するように延設された留め部を形成し、この留め部を前記筒体の切り込みに嵌入させることにより留め部と筒体の対向壁部との間にピン留め用の狭窄部を形成したピン留め具であって・
かつ下記（１）又は（２）の構成を備えることを特徴とするピン留め具。
（１）前記筒体の切り込みを筒体の後端側から前端部へ向かって斜め方向に切り込んで設      けると共に、前記コイルバネを軸方向に圧縮された状態で設けている。
（２）前記コイルバネを筒体の外周に密着又はほぼ密着した状態で設けている。
【請求項３】
ピンが挿入される筒体と、この筒体の外周に設けたコイルバネと、前記コイルバネの外周を包囲する外筒体によって構成され、
前記筒体におけるピン挿入側端部である前端部付近には斜めにカーブした溝状又は窓状の切り込みを設け、前記コイルバネの後端側の端部を前記筒体の後端側の部分に止着すると共に、コイルバネの前端部にはコイルバネの軸方向に伸びるアームを形成しこのアームの先端にコイルバネの円周線に対して径方向に交差するように延設された留め部を形成し、この留め部を前記筒体の切り込みに嵌入させることにより留め部と筒体の対向壁部との間にピン留め用の狭窄部を形成し、
更に前記筒対の前端部に外向きフランジを形成すると共に、この外向きフランジよりも開口径の小さい内向きフランジを前記外筒体の前端部に形成したピン留め具であって・
かつ下記（１）又は（２）の構成を備えることを特徴とするピン留め具。
（１）前記筒体の切り込みを筒体の後端側から前端部へ向かって斜め方向に切り込んで設      けると共に、前記コイルバネを軸方向に圧縮された状態で設けている。
（２）前記コイルバネを筒体の外周に密着又はほぼ密着した状態で設けている。
【請求項４】
前記ピン留め具の筒体における前端部がラッパ状に拡径して開口している請求の範囲３項に記載のピン留め具
【請求項５】
ピンが挿入される筒体と、この筒体の外周に設けたコイルバネと、前記コイルバネの外周を包囲する外筒体によって構成され、
前記筒体におけるピン挿入側端部である前端部付近には斜めに多角した溝状又は窓状の切り込みを設け、前記コイルバネの後端側の端部を前記筒体の後端側の部分に止着すると共に、コイルバネの前端部にはコイルバネの軸方向に伸びるアームを形成しこのアームの先端にコイルバネの円周線に対して径方向に交差するように延設された留め部を形成し、この留め部を前記筒体の切り込みに嵌入させることにより留め部と筒体の対向壁部との間にピン留め用の狭窄部を形成し、
更に前記筒対の前端部に外向きフランジを形成すると共に、この外向きフランジよりも開口径の小さい内向きフランジを前記外筒体の前端部に形成したピン留め具であって・
かつ下記（１）又は（２）の構成を備えることを特徴とするピン留め具。
（３）前記筒体の切り込みを筒体の後端側から前端部へ向かって斜め方向に切り込んで設      けると共に、前記コイルバネを軸方向に圧縮された状態で設けている。
（４）前記コイルバネを筒体の外周に密着又はほぼ密着した状態で設けている。
【請求項６】
前記ピン留め具の筒体における前端部がラッパ状に拡径して開口している請求の範囲５項に記載のピン留め具
【発明の詳細な説明】
【技術分野】本発明は、ピン留め具に関する。
更に詳しくは、本発明は身体装飾品等に設けられたピンを留めるためのピン留め具に関する。本発明は、タイタック、ピンブローチ、ピアス、ネックレス等の装飾品のピン留めに適用されるが、装飾品以外の比較的小さなサイズの各種の物品のピン留めにも適用される。
【背景技術】近年のピン留め具においてバネ材を使う構造が多い。しかし、小さいサイズである為に完全なフリーサイズ対応の金具は無く、部品の数も限られているため、大きいサイズと小さいサイズは無視されていた。
従来技術として、特許文献１に記載された金具を例示する
【特許文献１】特開２００８−３９４号公報この金具は図示は省略するが、まず、ピン挿入用開口を有するハウジング内に内側壁面にテーパー部が掲載されている案内筒を設ける。そして、この案内筒の内側空間に、複数の球体と、該球体に対して下面が接触する顎部材を有し、かつ、弾性体により常にピン挿入用開口方向に付勢されている球体押圧部材が配置されている。その結果、テーパー部の所定の内径位置において、複数の球体で形成される環の内側においてピンを狭持するという構造である。ところが入れるピンの太さはさまざまである。細ければ抜けやすく、太ければロックの力が強くて解除が簡単にできない。
【発明の開示】
【発明が解決しようとする課題】本発明は、ごく少数の部品でサイズの違うピンでも快適に安全にロック出来る金具を提供することを課題とする。
【課題を解決するための手段】ピンが挿入される筒体と、この筒体の外周に巻回されたコイルバネと、筒体及びコイルバネの外周を包囲する外筒体からなり、筒体には斜めにカーブ又は、多角にした溝状又は窓状の切り込みを設けて、これにコイルバネの直線状の留め部を嵌合させることにより、この留め部と筒体の対向壁部との間にピン留め用の狭窄部を形成したことにより、太さの違うピンでも、ロックされる力が均一になり、細いピンは抜け落ちることもなく、太いピンはロックの解除が楽になって、安全な、快適なピン留め金具となった。いわゆる留め部と筒体の対向へ壁部との間にできる、ピン留め用の狭窄部の角度をピンの太さにに応じて変えるのである。細いピンには狭窄部の角度を小さくして抜けにくくし、太いピンには狭窄部の角度を大きくしてロックの解除を柔らかくし形成することである。
【図面の簡単な説明】
【図１】窓状の切り込みがカーブしている内筒体
【図２】窓状の内筒体の切り込みがカーブしている金具に細いピンが挿入された時の状態
【図３】窓状の内筒体の切り込みがカーブしている金具に太いピンが挿入された時の状態
【図４】窓状の切り込みが多角している内筒体
【図５】窓状の内筒体の切り込みが多角している金具に細いピンが挿入された時の状態
【図６】窓状の内筒体の切り込みが多角している金具に太いピンが挿入された時の状態
【図７】アーム付のコイルバネ
【図８】内筒体にコイルバネを巻いた状態
【図９】外筒体
【図１０】本発明品の斜視図
ア．。。カーブした窓状の切り込み
イ。。。多角した窓状の切り込みの角度の小さい壁部
ウ．。。多角した窓状の切り込みの角度の大きい壁部
エ．。。内筒体
カ．。。コイルバネ
キ．。。外筒体
ク．。。細いピン
ケ．。。太いピン
コ．。。コイルバネの留め部
サ．。。コイルバネのアーム
【図１】
2015173973.tif 000003
【図２】
2015173973.tif 000004
【図３】
2015173973.tif 000005
【図４】
2015173973.tif 000006
【図５】
2015173973.tif 000007
【図６】
2015173973.tif 000008
【図７】
2015173973.tif 000009
【図８】
2015173973.tif 000010
【図９】
2015173973.tif 000011
【図１０】
2015173973.tif 000012
【手続補正書】
【提出日】平成27年2月3日(2015.2.3)
【手続補正１】
【補正対象書類名】特許請求の範囲
【補正対象項目名】請求項３
【補正方法】変更
【補正の内容】
【請求項３】
ピンが挿入される筒体と、この筒体の外周に設けたコイルバネと、前記コイルバネの外周を包囲する外筒体によって構成され、
前記筒体におけるピン挿入側端部である前端部付近には斜めにカーブした溝状又は窓状の切り込みを設け、前記コイルバネの後端側の端部を前記筒体の後端側の部分に止着すると共に、コイルバネの前端部にはコイルバネの軸方向に伸びるアームを形成しこのアームの先端にコイルバネの円周線に対して径方向に交差するように延設された留め部を形成し、この留め部を前記筒体の切り込みに嵌入させることにより留め部と筒体の対向壁部との間にピン留め用の狭窄部を形成し、
更に前記筒体の前端部に外向きフランジを形成すると共に、この外向きフランジよりも開口径の小さい内向きフランジを前記外筒体の前端部に形成したピン留め具であって・
かつ下記（１）又は（２）の構成を備えることを特徴とするピン留め具。
（１）前記筒体の切り込みを筒体の後端側から前端部へ向かって斜め方向に切り込んで設      けると共に、前記コイルバネを軸方向に圧縮された状態で設けている。
（２）前記コイルバネを筒体の外周に密着又はほぼ密着した状態で設けている。
【手続補正２】
【補正対象書類名】特許請求の範囲
【補正対象項目名】請求項５
【補正方法】変更
【補正の内容】
【請求項５】
ピンが挿入される筒体と、この筒体の外周に設けたコイルバネと、前記コイルバネの外周を包囲する外筒体によって構成され、
前記筒体におけるピン挿入側端部である前端部付近には斜めに多角した溝状又は窓状の切り込みを設け、前記コイルバネの後端側の端部を前記筒体の後端側の部分に止着すると共に、コイルバネの前端部にはコイルバネの軸方向に伸びるアームを形成しこのアームの先端にコイルバネの円周線に対して径方向に交差するように延設された留め部を形成し、この留め部を前記筒体の切り込みに嵌入させることにより留め部と筒体の対向壁部との間にピン留め用の狭窄部を形成し、
更に前記筒体の前端部に外向きフランジを形成すると共に、この外向きフランジよりも開口径の小さい内向きフランジを前記外筒体の前端部に形成したピン留め具であって・
かつ下記（１）又は（２）の構成を備えることを特徴とするピン留め具。
（１）前記筒体の切り込みを筒体の後端側から前端部へ向かって斜め方向に切り込んで設      けると共に、前記コイルバネを軸方向に圧縮された状態で設けている。
（２）前記コイルバネを筒体の外周に密着又はほぼ密着した状態で設けている。
【手続補正書】
【提出日】平成27年2月20日(2015.2.20)
【手続補正１】
【補正対象書類名】明細書
【補正対象項目名】全文
【補正方法】変更
【補正の内容】
【発明の詳細な説明】
【技術分野】本発明は、ピン留め具に関する。
更に詳しくは、本発明は身体装飾品等に設けられたピンを留めるためのピン留め具に関する。本発明は、タイタック、ピンブローチ、ピアス、ネックレス等の装飾品のピン留めに適用されるが、装飾品以外の比較的小さなサイズの各種の物品のピン留めにも適用される。
【背景技術】近年のピン留め具においてバネ材を使う構造が多い。しかし、小さいサイズである為に完全なフリーサイズ対応の金具は無く、部品の数も限られているため、大きいサイズと小さいサイズは無視されていた。
従来技術として、特許文献１に記載された金具を例示する
「特許文献１」特開２００８−３９４号公報
この金具は図示は省略するが、まず、ピン挿入用開口を有するハウジング内に内側壁面にテーパー部が掲載されている案内筒を設ける。そして、この案内筒の内側空間に、複数の球体と、該球体に対して下面が接触する顎部材を有し、かつ、弾性体により常にピン挿入用開口方向に付勢されている球体押圧部材が配置されている。その結果、テーパー部の所定の内径位置において、複数の球体で形成される環の内側においてピンを狭持するという構造である。ところが入れるピンの太さはさまざまである。細ければ抜けやすく、太ければロックの力が強くて解除が簡単にできない。
【発明の開示】
【発明が解決しようとする課題】本発明は、ごく少数の部品でサイズの違うピンでも快適に安全にロック出来る金具を提供することを課題とする。
【課題を解決するための手段】ピンが挿入される筒体と、この筒体の外周に巻回されたコイルバネと、筒体及びコイルバネの外周を包囲する外筒体からなり、筒体には斜めにカーブ又は、多角した溝状又は窓状の切り込みを設けて、これにコイルバネの直線状の留め部を嵌合させることにより、この留め部と筒体の対向壁部との間にピン留め用の狭窄部を形成したことにより、太さの違うピンでも、ロックされる力が均一になり、細いピンは抜け落ちることもなく、太いピンはロックの解除が楽になって、安全な、快適なピン留め金具となった。いわゆる留め部と筒体の対向壁部との間にできる、ピン留め用の狭窄部の角度をピンの太さに応じて変えるのである。細いピンには狭窄部の角度を小さくして抜けにくくし、太いピンには狭窄部の角度を大きくしてロックの解除を柔らかくし形成することである。
【図面の簡単な説明】
【図１】窓状の切り込みがカーブしている内筒体
【図２】窓状の内筒体の切り込みがカーブしている金具に細いピンが挿入された時の状態
【図３】窓状の内筒体の切り込みがカーブしている金具に太いピンが挿入された時の状態
【図４】窓状の切り込みが多角している内筒体
【図５】窓状の内筒体の切り込みが多角している金具に細いピンが挿入された時の状態
【図６】窓状の内筒体の切り込みが多角している金具に太いピンが挿入された時の状態
【図７】アーム付のコイルバネ
【図８】内筒体にコイルバネを巻いた状態
【図９】外筒体
【図１０】本発明品の斜視図
【符号の説明】ア．。。カーブした窓状の切り込み
イ。。。多角した窓状の切り込みの角度の小さい壁部
ウ．。。多角した窓状の切り込みの角度の大きい壁部
エ．。。内筒体
カ．。。コイルバネ
キ．。。外筒体
ク．。。細いピン
ケ．。。太いピン
コ．。。コイルバネの留め部
サ．。。コイルバネのアーム